【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
外部装置から宛先を受信する受信手段と、
送信画面とは異なる第１の画面が表示されている状態で、前記受信手段が前記宛先を受信したことに従って前記第１の画面から前記宛先が設定された送信画面に切り替えて表示する表示手段と、
前記宛先にデータを送信する送信手段とを有するデータ送信装置であって、
前記表示手段は、前記送信画面でも前記第１の画面でもない第２の画面が表示されている状態で、前記受信手段が前記宛先を受信しても前記第２の画面から前記送信画面に切り替えて表示しないことを特徴とするデータ送信装置。
【請求項２】
前記第２の画面が表示されている状態で、前記受信手段が前記宛先を受信したことに従って、エラーを示す情報を前記外部装置に送信することを特徴とする請求項１に記載のデータ送信装置。
【請求項３】
前記第１の画面は、前記データ送信装置の前記データを送信する送信機能とコピー機能を含む複数の機能を選択するための画面であることを特徴とする請求項１または２に記載のデータ送信装置。
【請求項４】
前記第１の画面は、外部装置との無線通信を確立するための画面であることを特徴とする請求項１または２に記載のデータ送信装置。
【請求項５】
前記第２の画面は、コピー機能の画面であることを特徴とする請求項１乃至４の何れか１項に記載のデータ送信装置。
【請求項６】
前記第１の画面が表示されている状態で、前記受信手段が前記宛先を受信したことに従って、前記第１の画面を表示するためのアプリケーションを終了し、前記送信画面を表示するためのアプリケーションを起動する制御手段を更に有することを特徴とする請求項１乃至５の何れか１項に記載のデータ送信装置。
【請求項７】
前記制御手段は、前記第２の画面が表示されている状態で、前記受信手段が前記宛先を受信しても前記第２の画面を表示するためのアプリケーションを終了せず、前記送信画面を表示するためのアプリケーションを起動しないことを特徴とする請求項６に記載のデータ送信装置。
【請求項８】
前記宛先は、メールアドレスであることを特徴とする請求項１乃至７の何れか１項に記載のデータ送信装置。
【請求項９】
前記受信手段は、無線通信を用いて前記外部装置から前記宛先を受信することを特徴とする請求項１乃至８の何れか１項に記載のデータ送信装置。
【請求項１０】
データを送信する送信機能を有するデータ送信装置であって、
前記送信機能によって送信される情報を外部装置から受信する受信手段と、
送信画面とは異なる第１の画面が表示されている状態で、前記受信手段が前記情報を受信したことに従って前記第１の画面から前記送信画面に切り替えて表示する表示手段とを有し、
前記表示手段は、前記送信画面でも前記第１の画面でもない第２の画面が表示されている状態で、前記受信手段が前記情報を受信しても前記第２の画面から前記送信画面に切り替えて表示しないことを特徴とするデータ送信装置。
【請求項１１】
前記第１の画面は、前記データ送信装置の前記送信機能のコピー機能を含む複数の機能を選択するための画面であることを特徴とする請求項１０に記載のデータ送信装置。
【請求項１２】
前記第１の画面は、前記外部装置との無線通信を確立するための画面であることを特徴とする請求項１０に記載のデータ送信装置。
【請求項１３】
前記第２の画面は、コピー機能の画面であることを特徴とする請求項１０乃至１２の何れか１項に記載のデータ送信装置。
【請求項１４】
前記送信機能は、メールを用いて前記データを送信する機能であり、前記情報はメールの本文、メールの件名の少なくともいずれか１つを含むことを特徴とする請求項１０乃至１３の何れか１項に記載のデータ送信装置。
【請求項１５】
原稿の画像を読み取り画像データを生成し、生成された画像データを送信する処理を実行可能で、
前記処理に使用される情報を外部装置から受信する受信手段と、
送信画面とは異なる第１の画面が表示されている状態で、前記受信手段が前記情報を受信したことに従って、前記第１の画面から前記送信画面に切り替えて表示する表示手段を有するデータ送信装置であって、
前記表示手段は、前記送信画面でも前記第１の画面でもない第２の画面が表示されている状態で、前記受信手段が前記情報を受信しても前記第２の画面から前記送信画面に切り替えて表示しないことを特徴とするデータ送信装置。
【請求項１６】
前記第１の画面は、前記データ送信装置の前記処理を実行するための機能とコピー機能を含む複数の機能を選択するための画面であることを特徴とする請求項１５に記載のデータ送信装置。
【請求項１７】
前記第１の画面は、前記外部装置との無線通信を確立するための画面であることを特徴とする請求項１５に記載のデータ送信装置。
【請求項１８】
前記第２の画面は、コピー機能の画面であることを特徴とする請求項１５乃至１７の何れか１項に記載のデータ送信装置。
【請求項１９】
前記第２の画面が表示されている状態で、前記受信手段が前記情報を受信したことに従って、エラーを示す情報を前記外部装置に送信することを特徴とする請求項１０乃至１８の何れか１項に記載のデータ送信装置。
【請求項２０】
前記第１の画面を表示されている状態で、前記受信手段が前記情報を受信したことに従って、前記第１の画面を表示するためのアプリケーションを終了し、前記送信画面を表示するためのアプリケーションを起動する制御手段を更に有することを特徴とする請求項１０乃至１９の何れか１項に記載のデータ送信装置。
【請求項２１】
前記制御手段は、前記第２の画面を表示されている状態で、前記受信手段が前記情報を受信しても前記第２の画面を表示するためのアプリケーションを終了せず、前記送信画面を表示するためのアプリケーションを起動しないことを特徴とする請求項２０に記載のデータ送信装置。
【請求項２２】
前記受信手段は、無線通信を用いて前記外部装置から前記情報を受信することを特徴とする請求項１０乃至２１の何れか１項に記載のデータ送信装置。
【請求項２３】
外部装置から宛先を受信する受信工程と、
送信画面とは異なる第１の画面が表示されている状態で、前記受信工程で前記宛先を受信したことに従って前記第１の画面から前記宛先が設定された送信画面に切り替えて表示する表示工程と、
前記宛先にデータを送信する送信工程とを有し、
前記表示工程は、前記送信画面でも前記第１の画面でもない第２の画面が表示されている状態で、前記受信工程で前記宛先を受信しても前記第２の画面から前記送信画面に切り替えて表示しないことを特徴とするデータ送信方法。
【請求項２４】
データを送信する送信機能を有するデータ送信装置におけるデータ送信方法であって、
前記送信機能によって送信される情報を外部装置から受信する受信工程と、
送信画面とは異なる第１の画面が表示されている状態で、前記受信工程で前記情報を受信したことに従って前記第１の画面から前記送信画面に切り替えて表示する表示工程とを有し、
前記表示工程は、前記送信画面でも前記第１の画面でもない第２の画面が表示されている状態で、前記受信工程で前記情報を受信しても前記第２の画面から前記送信画面に切り替えて表示しないことを特徴とするデータ送信方法。
【請求項２５】
原稿の画像を読み取り画像データを生成し、生成された画像データを送信する処理を実行する実行工程と、
前記処理に使用される情報を外部装置から受信する受信工程と、
送信画面とは異なる第１の画面が表示されている状態で、前記受信工程で前記情報を受信したことに従って、前記第１の画面から前記送信画面に切り替えて表示する表示工程を有し、
前記表示工程は、前記送信画面でも前記第１の画面でもない第２の画面が表示されている状態で、前記受信工程で前記情報を受信しても前記第２の画面から前記送信画面に切り替えて表示しないことを特徴とするデータ送信方法。
【請求項２６】
請求項１乃至２２の何れか１項に記載のデータ送信装置の各手段をコンピュータに実行させるためのプログラム。
【手続補正２】
【補正対象書類名】明細書
【補正対象項目名】発明の名称
【補正方法】変更
【補正の内容】
【発明の名称】データ送信装置、データ送信方法及びプログラム
【手続補正３】
【補正対象書類名】明細書
【補正対象項目名】０００１
【補正方法】変更
【補正の内容】
【０００１】
本発明は、データ送信装置、データ送信方法及びプログラムに関する。
【手続補正４】
【補正対象書類名】明細書
【補正対象項目名】０００６
【補正方法】変更
【補正の内容】
【０００６】
宛先の受信に従って切り替えられたくない特定の画面が表示されている状態で、宛先を受信した時に送信画面に切り替えない仕組みを提供することを目的とする。
本発明に係るデータ送信装置は、外部装置から宛先を受信する受信手段と、送信画面とは異なる第１の画面が表示されている状態で、前記受信手段が前記宛先を受信したことに従って前記第１の画面から前記宛先が設定された送信画面に切り替えて表示する表示手段と、前記宛先にデータを送信する送信手段とを有するデータ送信装置であって、前記表示手段は、前記送信画面でも前記第１の画面でもない第２の画面が表示されている状態で、前記受信手段が前記宛先を受信しても前記第２の画面から前記送信画面に切り替えて表示しないことを特徴とする。
【手続補正５】
【補正対象書類名】明細書
【補正対象項目名】０００７
【補正方法】変更
【補正の内容】
【０００７】
本発明によれば、宛先の受信に従って切り替えられたくない特定の画面が表示されている状態で、宛先を受信した時に送信画面に切り替えない仕組みを提供することができる。